(57)【特許請求の範囲】
【請求項１】
地上波デジタル放送の変調方式としてＯＦＤＭ方式を用い、かつ１ＯＦＤＭシンボル当たりのサンプル数が異なる複数の送信モードを有する放送を受信する放送受信機におけるガード相関器であって、受信ＯＦＤＭ変調波を時間的に間引いて１ＯＦＤＭシンボル当たりのサンプル数を複数モード中における最小の１ＯＦＤＭシンボル当たりのサンプル数に一致させるデシメーション手段と、該デシメーション手段からの出力を前記最小の１ＯＦＤＭシンボル当たりのサンプル数の期間遅延させる遅延器と、受信ＯＦＤＭ変調波と前記遅延器の出力との自己相関を求める相関器とを備え、各相関出力の相関出力レベルに基づいて送信モードを判別することを特徴とするガード相関器。
【発明の詳細な説明】
【０００１】
【発明の属する技術分野】
本発明は地上波デジタル放送の変調方式として直交周波数分割多重（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））方式を用い、かつ１ＯＦＤＭシンボル当たりのサンプル数が異なる複数の送信モードを有する放送を受信する放送受信機におけるガード相関器に関する。
【０００２】
【従来の技術】
ＯＦＤＭ信号には図２（ａ）に示す如くガードインターバルと呼ばれる冗長部分が存在する。これはマルチパスの影響を軽減するためのものであり、ＯＦＤＭフレームはガード期間と有効シンボル期間と構成され、ガードインターバルａ、ｂ、ｃは有効シンボル期間の最後１／ｘ（ＩＳＤＢ−Ｔ（Ｔｅｒｒｅｓｔｒｉａｌ）では１／ｘ＝１／４、１／８、１／１６、１／３２のいずれか）期間の部分が有効シンボルの先頭に付加される形で生成される。１／ｘが大きいほど伝送レートは落ちるが、マルチパスに対して強くなる。
【０００３】
このガードインターバルを使用してガード相関を検出し、ＩＳＤＢ−Ｔの送信モード判定やＡＦＣ動作に利用するが行われる。
【０００４】
ガード相関器は、図３に示すように、受信した変調波と、それを１ＯＦＤＭシンボル期間分の遅延時間τだけ遅延させた図２（ｂ）に示す信号との自己相関を取ることによって、図２（ｃ）に示すようにピークを検出することができることに基づいている。
【０００５】
ＩＳＤＢ−Ｔでは送信モード（以下、単にモードとも記す）は全部で３つあり、それぞれ１ＯＦＤＭシンボル当たりのサンプル数が異なる。モード１の場合は２０４８サンプル、モード２の場合は４０９６サンプル、モード３の場合は８１９２サンプルである。
【０００６】
そこで従来のガード相関器は、図３に示すように、受信ＯＦＤＭ変調波を２０４８サンプルの期間遅延させる２０４８サンプル遅延器１、受信ＯＦＤＭ変調波を４０９６サンプルの期間遅延させる４０９８サンプル遅延器１１および受信ＯＦＤＭ変調波を８１９２サンプルの期間遅延させる８１９２サンプル遅延器１２の３つの遅延器を使って、サンプル遅延器１からの出力、サンプル遅延器１１からの出力およびサンプル遅延器１２からの出力と、受信したＯＦＤＭ変調波との自己相関を相関器２、５、８にて各別に求め、相関器２、５、８のどれにピークが検出されるかを調べてモード判定を行っている。
【０００７】
【発明が解決しようとする課題】
しかし、上記した従来のガード相関器によれば、遅延期間の異なる３つの遅延器と３つの相関器が必要になり、回線規模が大きくなってしまうという問題点がある。
【０００８】
本発明は、回路規模を小さくしたガード相関器を提供することを目的とする。
【０００９】
【課題を解決するための手段】
本発明にかかるガード相関器は、地上波デジタル放送の変調方式としてＯＦＤＭ方式を用い、かつ１ＯＦＤＭシンボル当たりのサンプル数が異なる複数の送信モードを有する放送を受信する放送受信機におけるガード相関器であって、受信ＯＦＤＭ変調波を時間的に間引いて１ＯＦＤＭシンボル当たりのサンプル数を複数モード中における最小の１ＯＦＤＭシンボル当たりのサンプル数に一致させるデシメーション手段と、該デシメーション手段からの出力を前記最小の１ＯＦＤＭシンボル当たりのサンプル数の期間遅延させる遅延器と、受信ＯＦＤＭ変調波と前記遅延器の出力との自己相関を求める相関器とを備え、各相関出力の相関出力レベルに基づいて送信モードを判別することを特徴とするガード相関器。
【００１０】
本発明にかかるガード相関器によれば、デシメーション手段によって各モードにおける１ＯＦＤＭシンボル当たりのサンプル数を複数モード中における最小の１ＯＦＤＭシンボル当たりのサンプル数に一致させられるために、同じ遅延時間の遅延器および相関器を使うことができて規模が小さくて済むことになる。
【００１１】
【発明の実施の形態】
以下、本発明にかかるガード相関器を実施の形態によって説明する。
【００１２】
図１は、本発明の実施の一形態にかかるガード相関器の構成を示すブロック図である。
【００１３】
本発明の実施の一形態にかかるガード相関器１０は、受信ＯＦＤＭ変調波を２０４８サンプルの期間遅延させる２０４８サンプル遅延器１によって２０４８サンプルの期間遅延させ、受信ＯＦＤＭ変調波を１／２デシメーション手段３によって時間的に１／２間引いてモード２の場合における１ＯＦＤＭシンボル当たりのサンプル数をモード１の場合における１ＯＦＤＭシンボル当たりのサンプル数と一致させ、その出力を２０４８サンプル遅延器４によって２０４８サンプルの期間遅延させる。
【００１４】
さらに、ガード相関器１０は、同様に受信ＯＦＤＭ変調波を１／４デシメーション手段６によって時間的に１／４間引いてモード３の場合における１ＯＦＤＭシンボル当たりのサンプル数をモード１の場合における１ＯＦＤＭシンボル当たりのサンプル数と一致させ、その出力を２０４８サンプル遅延器７によって２０４８サンプルの期間遅延させる。
【００１５】
２０４８サンプル遅延器１によって遅延された信号と受信ＯＦＤＭ変調波との自己相関を相関器２で求め、２０４８サンプル遅延器４によって遅延された信号と受信ＯＦＤＭ変調波との自己相関を相関器５で求め、２０４８サンプル遅延器７によって遅延された信号と受信ＦＤＭ変調波との自己相関を相関器８で求め、相関器２、５、８のどれにピークが検出されるかを調べてモード判定を行う。
【００１６】
すなわち、ガード相関器１０において、モード１の場合には相関器２の出力からピークが検出されてモード１と判別され、モード２の場合には相関器５の出力からピークが検出されてモード２と判別され、モード３の場合には相関器８の出力からピークが検出されてモード３と判別される。
【００１７】
このように、モード２はモード１の２倍のサンプル数であり、モード３はモード１の４倍のサンプル数であることを利用して、モード２では入力信号（ＯＦＤＭ変調波を時間的に１／２）に間引くことにより、モード３では入力信号を時間的に１／４に間引くことにより、それぞれモード１と同じ１ＯＦＤＭシンボル当たりのサンプル数にすることができる。このようにして、同じサンプル数になれば同じ相関器を使うことができる。
【００１８】
ガード相関器１０では、モード１に対しては従来技術の場合と同様の構成であるが、モード２および３の場合に対しては、モード１のサンプル周期に合うように間引くことによって、モード１の場合の遅延器と相関器との同一のものを３組用意することにより、３つのモードを判定するガード相関器が実現できる。
【００１９】
なお、ガードインターバルの期間が十分長ければ、ガード相関器１０のモード１においてもデシメーション手段を使用することができるため、さらに回路規模を縮小することができる。
【００２０】
さらに、従来のガード相関器でも遅延器の回路規模を縮小するためにモード３の遅延器のみを使う方法が考えられる。しかし、それでもサンプル数８１９２の期間の遅延器が必要となる。一方、ガード相関器１０では、サンプル数２０４８の長さの遅延器が３つ、すなわちサンプル数６１４４の期間の遅延器と同規模の回路ですべてのモードに対応したガード相関器を実現することができ、従来方法と比べて回路規模を３／４にすることができる。
【００２１】
【発明の効果】
以上説明したように本発明にかかるガード相関器によれば、回路規模を縮小することができる。
【図面の簡単な説明】
【図１】本発明の実施の一形態にかかるガード相関器の構成を示すブロック図である。
【図２】ガード相関の説明図である。
【図３】従来のガード相関器の構成を示すブロック図である。
【符号の説明】
１、４および７  ２０４８サンプル遅延器
２、５および８  相関器
３  １／２デシメーション手段
６  １／４デシメーション手段
【図１】
0003614338.tif 000002
【図２】
0003614338.tif 000003
【図３】
0003614338.tif 000004